(57)【要約】【課題】固形分が懸濁する排水から固形分を濾過装置で処理する際、濾過性能の低下を抑制し、運転コストを大幅に軽減する。【構成】複数のフィルタエレメント８を設けた濾過装置４に排水を供給し、処理した清浄な処理水を処理水排出手段４０に排出し、フィルタエレメント８に固形分が堆積した際に該固形分を分離して懸濁水として排出し、その懸濁水を浄化手段１８により前記処理水と同等の清浄な浄化水に浄化し、得られた浄化水を前記処理水排出手段４０に排出する。【選択図】        図１
2005000820.tif 000002
【特許請求の範囲】
【請求項１】
固形分を懸濁した排水を処理する方法において、複数のフィルタエレメント８を設けた濾過装置４に前記排水を供給し、処理した清浄な処理水を処理水排出手段４０に排出し、前記フィルタエレメント８に固形分が堆積した際に該固形分を分離して懸濁水として排出し、その懸濁水を浄化手段１８により前記処理水と同等の清浄な浄化水に浄化し、得られた浄化水を前記処理水排出手段４０に排出することを特徴とする排水の処理方法。
【請求項２】
請求項１において、前記浄化手段１８として遠心分離装置、回転フィルタ、フィルタプレスの内のいずれか一つまたは、それらの二つ以上を組み合わせたもの、または沈殿装置を使用することを特徴とする排水の処理方法。
【請求項３】
請求項２において、前記浄化手段１８として沈殿装置を用いる場合に、浄化すべき懸濁水に粗粒子化剤を添加することを特徴とする排水の処理方法。
【請求項４】
固形分を懸濁した排水を処理する装置において、複数のフィルタエレメント８を設けた濾過装置４と、処理すべき排水を濾過装置４に供給する排水供給手段３と、濾過装置４で処理して得られた清浄な処理水を排出する処理水排出手段４０と、各フィルタエレメント８に堆積した固形分を分離して懸濁水として排出するする固形分分離手段１２と、懸濁水を前記処理水と同等の清浄な浄化水に浄化する浄化手段１８と、浄化手段１８により得られた浄化水を前記処理水排出手段４０に排出する浄化水排出手段４２を備えていることを特徴とする排水の処理装置。
【請求項５】
請求項４において、前記浄化手段１８は、前記処理水と同等の清浄な浄化水に浄化できる遠心分離装置、回転フィルタ、フィルタプレスの内のいずれか一つ或いは、それらの二つ以上を組み合わせたもの、または沈殿装置であることを特徴とする排水の処理装置。
【請求項６】
請求項５において、前記沈殿装置を設ける場合、懸濁水に粗粒子化剤を添加する粗粒子化剤供給手段４１が設けられることを特徴とする排水の処理装置。
【発明の詳細な説明】
【０００１】
【発明の属する技術分野】
本発明は土木工事等で発生する残土や工場等から排出される下水汚泥などの固形分を懸濁した排水の処理方法及び処理装置に関し、特にフィルタエレメントを設けた濾過装置の濾過性能の低下を防止した排水の処理方法および処理装置に関する。
【０００２】
【従来の技術】
土木工事や建築現場等では掘削などにより生じる石粉、泥分などの固形分を懸濁する水が多量に排出される。また工場等からは大量の下水汚泥が排出される。これら排水はそのまま排水路などに放出すると環境を汚染するので、従来から排水処理装置で処理してから放出している。その際、固形分は資源として再利用できるように、固形分を分離してから造粒する方法も採用されている。
【０００３】
そのような造粒による固形分回収方法としては、先ず遠心分離機などで排水を脱水し、得られた固形分にセメント系、石灰系、高分子系などの固化剤を混合し、攪拌しながら造粒する方法が知られている。また、排水中に凝集剤を添加して固形分を沈殿させ、その沈殿物に上記のような固化剤を混合して攪拌しながら造粒する方法も知られている。
【０００４】
一方、固形分を懸濁した排水中から固形分を分離するには、一般に複数のフィルタエレメントを備えた濾過装置が使用される。フィルタエレメントとしてはコイル型、濾布型、多孔式フィルタ型などがありそれぞれ目的に応じて使い分けされるが、その中でもコイル型は微細な固形分を効率よく濾過できるものとして最近注目されている。このコイル型のフィルタエレメントは、水を通過させる多数の間隙を形成したコイル状のエレメントを備え、その一次側に珪藻土などの濾過助剤を付着させたものが知られている。
【０００５】
濾過装置は仕切板を兼ねた固定板を備え、その固定板に複数のフィルタエレメントが着脱自在に装着される。また固定板を境に一次側室と二次側室が形成され、一次側室に処理すべき排水が排水供給手段から供給され、フィルタエレメントを通過して二次側室に流入した清浄な処理水は処理水槽や外部に排水する配管などの処理水排出手段に排出される。
【０００６】
濾過装置で微細な固形分を懸濁した排水を長時間濾過すると、フィルタエレメントの一次側に固形分が堆積してくる。フィルタエレメントに固形分が堆積するとその堆積量に応じて濾過性能（または濾過効率）が低下する。そこで濾過装置を一定時間運転した後、または濾過性能が所定レベルまで低下したときに、濾過工程から固形分分離工程に切り換えてフィルタエレメントに堆積した固形分を分離して排出する。
【０００７】
固形分分離工程では逆洗水または加圧気体を濾過槽の二次側室に供給し、それら逆洗水または加圧気体がフィルタエレメントの二次側から一次側に通過する際に堆積した固形分を一次側に剥離して分離する。一次側室に分離された固形分は懸濁水となって排出し、脱水手段で脱水してから固形分を造粒装置で造粒する。一方、脱水手段から排出する排水には固形分がかなり残留しており、そのまま排水路などに排出することができないので、前記排水供給手段に戻して再度濾過工程にかける。
【０００８】
前記排水供給手段は排水槽とそこから排水を濾過槽に供給する配管およびポンプ等を備えており、その排水槽に例えば工事現場等から排出する排水と前記脱水手段からの排水が流入する。一方、濾過装置における処理能力は装置側の要因と排水側の要因により変化する。装置側の要因としてはフィルタエレメントの濾過面積、濾過圧力、圧損等があり、排水側の要因には懸濁する固形分の濃度、粒子性状などがある。粒子性状としては粒径分布、粒子形状などがあるが、特に粒径の微細な粒子（微粒子）が存在すると、フィルタエレメントへの堆積物が緻密になり、濾過抵抗が増大し、急速にその濾過性能が低下する。
【０００９】
上記のように排水に微細な粒子が多く懸濁している場合の対策として、排水中に珪藻土などの濾過助剤を添加してフィルタエレメントの一次側に堆積する固形分の中に空隙を形成するか、または排水中に凝集剤などの粗粒化剤を添加して微粒子を粗粒子化する方法が採用される。
【００１０】
【発明が解決しようとする課題】
しかし排水中に濾過助剤や粗粒化剤を添加する方法は、排水量や微細な固形分の濃度に応じて添加量を加減する必要があり、大量の排水を処理する場合や微細な固形分の濃度が高い場合には、添加量も多くなり運転コストの増大の要因になっている。特に前記のように脱水手段からの排水を排水供給手段に供給する場合には、その排水中には微細な固形分がかなり高濃度で含まれるので濾過助剤や粗粒化剤の添加量が著しく増大する。
そこで本発明は上記問題を解決することを課題とし、そのための新しい排水の処理方法および処理装置を提供することを目的とする。
【００１１】
【課題を解決するための手段】
前記課題を解決する本発明の排水の処理方法は、複数のフィルタエレメントを設けた濾過装置に固形分を懸濁した排水を供給し、処理した清浄な処理水を処理水排出手段に排出し、前記フィルタエレメントに固形分が堆積した際に該固形分を分離して懸濁水として排出し、その懸濁水を浄化手段により前記処理水と同等の清浄な浄化水に浄化し、得られた浄化水を前記処理水排出手段に排出することを特徴とする（請求項１）。
【００１２】
上記排水の処理方法において、前記浄化手段として前記処理水と同等の清浄な浄化水に浄化できる遠心分離装置、回転フィルタ、フィルタプレスの内のいずれか一つまたは、それらの二つ以上を組み合わせたもの、または沈殿装置を使用することができる（請求項２）。
【００１３】
上記浄化手段として沈殿装置を用いる場合において、浄化すべき懸濁水に粗粒子化剤を添加することができる（請求項３）。
【００１４】
また前記課題を解決する本発明の排水の処理装置は、複数のフィルタエレメントを設けた濾過装置と、固形分を懸濁した排水を濾過装置に供給する排水供給手段と、濾過装置で処理して得られた清浄な処理水を排出する処理水排出手段と、各フィルタエレメントに堆積した固形分を分離して懸濁水として排出するする固形分分離手段と、懸濁水を前記処理水と同等の清浄な浄化水に浄化する浄化手段と、浄化手段により得られた浄化水を前記処理水排出手段に排出する浄化水排出手段を備えていることを特徴とする（請求項４）。
【００１５】
上記排水の処理装置において、前記浄化手段は遠心分離装置、回転フィルタ、フィルタプレスの内のいずれか一つ或いは、それらを二つ以上組み合わせたもの、または沈殿装置により構成することができる（請求項５）。
【００１６】
上記浄化手段を沈殿装置で構成する場合において、懸濁水に粗粒子化剤を添加する粗粒子化剤供給手段を設けることができる（請求項６）。
【００１７】
【発明の実施の形態】
次に本発明の実施の形態を図面により説明する。図１は本発明に係る排水の処理方法を実施する装置のプロセスフロー図である。図中、１は沈砂池、２は排水槽、３は排水供給手段、４は濾過装置、５は濾過装置４の一次側室、６は濾過装置４の二次側室、７は固定板、８はフィルタエレメント、９は濾過助剤ホッパ、１０はプリコート槽、１１は処理水槽、１２は固形分分離手段、１３は加圧気体源、１６は懸濁水排出手段、１７は懸濁水槽、１８は浄化手段、１９は混合造粒装置、４０は処理水排出手段、４１は粗粒子化剤供給手段、４２は浄化水排出手段、Ｐ１〜Ｐ３，Ｐ５，Ｐ６はポンプ、Ｖ１〜Ｖ８は開閉弁，ａ〜ｑ，ｓは配管、Ｘはコンベアである。
【００１８】
沈砂池１は配管ａから流入する固形分を懸濁した排水中に混在するゴミなどを自然沈降法により除去するために設けられ、排水槽２は沈砂池１からの上澄水を一時的に収容するものである。沈砂池１には上澄水を汲み上げるポンプＰ１を設け、その出口側にその上澄水を排水槽２に供給する配管ｂが接続される。排水槽２には内部の排水を汲み上げるポンプＰ２を設け、その出口側に開閉弁Ｖ１を設けた配管ｃが接続され、その配管ｃは濾過装置４の一次側室５に開口する。そして排水槽２、ポンプＰ２、配管ｃ等により排水供給手段３が構成される。
【００１９】
濾過装置４は仕切板を兼ねた固定板７で仕切られた一次側室５と二次側室６を有し、固定板７には複数のコイル型のフィルタエレメント８が二次元的に所定間隔で且つ着脱自在に装着される。
【００２０】
図２はフィルタエレメント８の１例を示す拡大断面図である。フィルタエレメント８はコイル型とされ、ステンレス等の耐食性を有する金属線を螺旋状に巻回して形成した線輪２０と、その両端部に連結した取付金具２１、接続金具２５を有し、ボルト２２およびナット２３，２６により一体化され、取付金具２１によって固定板７に設けた取付孔２４に着脱自在に装着される。
【００２１】
図３は図２のＡ部拡大図である。図３に示すように金属線にはその外周部に沿って複数の突起Ｂが所定間隔で設けられ、それによって線輪２０の隣接輪間に流体通過用の間隙Ｃが形成される。なお突起Ｂを設けずナット２６で線輪２０を僅かに伸張状態に設定し、それによって形成される間隙を利用して流体を通過させるようにしてもよい。
【００２２】
コイル型のフィルタエレメント８を使用して濾過を行う場合、濾過工程に先立って予め線輪２０の外周に珪藻土などの濾過助剤２７を付着させて濾過効率を向上する。濾過助剤２７を付着した場合は、一次側室５の排水は矢印のように線輪２０の間隙Ｃを通って二次側室６に流入し、その際、固形分は主として濾過助剤２７に捕捉されて分離する。
【００２３】
プリコート槽１０には配管ｄを介して珪藻土などの濾過助剤ホッパ９から濾過助剤が供給され、その濾過助剤と水を混合してプリコート液を調整する。プリコート槽１０にはプリコート液を汲み上げるポンプＰ３が設けられ、そのポンプＰ３の出口側に開閉弁Ｖ２を設けた配管ｅが接続され、配管ｅの先端は濾過装置４の一次側室５に連通する。
【００２４】
濾過装置４の二次側室６の上部から配管ｆと配管ｊが分岐し、配管ｆは開閉弁Ｖ６および配管ｇを経て処理水槽１１に連通し、配管ｊから配管ｌとｋが分岐する。配管ｌは開閉弁Ｖ３を経て排水槽２に連通し、配管ｋは開閉弁Ｖ４を経てプリコート槽１０に連通する。配管ｆ、配管ｇは二次側室６から濾過した清浄な処理水を処理水槽１１に排出するものであるが、配管ｇから点線で示す配管ｓを経て直接排水路に排出することもできる。そして処理水槽１１または配管ｓが処理水排出手段４０を構成する。
【００２５】
処理水槽１１には図示しない処理水供給配管が接続され、冷却水等として各種設備に供給される。また処理水槽１１には処理水を汲み上げるポンプＰ５を設け、そのポンプＰ５の出口側に開閉弁Ｖ７を設けた配管ｈが接続され、配管ｈは前記配管ｆの途中に合流する。そして配管ｈから処理水を逆洗水として濾過装置４の二次側室６に供給し、逆洗水洗浄方式によりフィルタエレメント８の一次側に堆積した固形分を剥離して分離できるようになっている。
【００２６】
二次側室６の上部にはさらに開閉弁Ｖ５を設けた配管ｉが接続され、配管ｉには加圧気体源１３からの加圧気体が供給される。なお加圧気体源１３は通常空気圧縮機により構成され、そこから配管ｉに供給される加圧空気によってフィルタエレメント８に堆積した固形分を加圧気体洗浄方式で分離することができる。従って本実施の形態では、固形分分離操作を逆洗水洗浄方式または加圧気体洗浄方式のいずれかを選択して行うことができるが、いずれか一方を省略することもできる。さらに一次側室５の底部には開閉弁Ｖ８を設けた配管ｍが接続され、配管ｍの先端は懸濁水槽１７に連通する。
【００２７】
上記ポンプＰ５、配管ｈおよび配管ｆにより逆洗水洗浄手段が構成され、上記加圧気体源１３、配管ｉにより加圧気体洗浄手段が構成され、さらに上記配管ｍにより懸濁水排出手段が構成される。そして逆洗水洗浄手段と懸濁水排出手段、または加圧気体洗浄手段と懸濁水排出手段により前記固形分分離手段１２が構成される。
【００２８】
懸濁水槽１７に懸濁水を汲み上げるポンプＰ６を設け、ポンプＰ６の出口側に接続した配管ｏの先端が浄化手段１８に連通する。浄化手段１８は懸濁水を浄化して前記濾過装置４の二次側室６から流出する処理水と同等の清浄度を有する浄化水とするものである。
【００２９】
実線で示す浄化手段１８としては、例えば遠心分離装置または、回転フィルタまたはフィルタプレスの内のいずれか一つまたは、それらを二つ以上組み合わせて直列に接続したものを用いることができる。また点線で示す浄化手段１８は沈殿装置である。なお実線で示す浄化手段１８および点線で示す浄化手段１８の少なくとも一方を設ければよい。上記の浄化能力を有する遠心分離装置として、例えば石川島播磨重工業から市販されているスクリュデカンダ形遠心分離機ＭＷシリーズを使用することができる。
【００３０】
また上記の浄化能力を有する回転フィルタとして、例えばＭＡＴＵＢＯ粉体から市販されているロータリーフィルター型式ＲＦを使用することができる。さらに上記の浄化能力を有するフィルタプレスとして、例えばＭＥＩＷＡから市販されている汚泥処理用フィルタープレス型式ＦＰ−１７００等を使用できる。
【００３１】
点線で示す浄化手段１８（すなわち沈殿装置）は、処理容量に見合った沈殿槽を有し、その沈殿槽には粗粒子化剤供給手段４１から粗粒子化剤を供給できるようになっている。粗粒子化剤供給手段４１は固形分を粗粒子化する凝集剤等の粗粒子化剤を貯蔵するホッパを有し、固形分の濃度に応じて沈殿槽に粗粒子化剤を供給する。このような粗粒子化剤を使用することにより、懸濁水の固形分を粗粒子化して沈殿を促進し、清浄度の高い浄化水を効率よく得ることができる。なお粗粒子化剤供給手段４１からの粗粒子化剤を沈殿槽に添加する代わりに懸濁水槽１７に添加することもできる。
【００３２】
浄化手段１８から浄化した浄化水を処理水排出手段としての処理水槽１１または配管ｓに排出するために配管ｎが設けられ、この配管ｎが浄化水排出手段４２を構成する。また浄化手段１８には浄化水を分離した後の固形分スラリーを排出する配管ｐが設けられ、配管ｐの先端が混合造粒装置１９に連通する。混合造粒装置１９は固形分スラリーを混合して造粒するもので、例えば特開２０００−２９７７号公報に記載されている装置を使用できる。なお混合造粒装置１９には造粒補助剤を供給する配管ｑと、得られた造粒体を排出するコンベアＸが接続される。
【００３３】
次に図１の装置を使用して固形分が懸濁した排水の処理方法を説明する。
（濾過助剤の付着工程）
濾過運転に先立って、図１に示す濾過装置４の各フィルタエレメント８に濾過助剤２７を図２のように付着させる。そのためには先ず濾過助剤ホッパ９に収容した濾過助剤をプリコート槽１０に投入し、所定割合の水と混合攪拌してプリコート溶液を得る。
【００３４】
次いで開閉弁Ｖ２、Ｖ４を開けてポンプＰ３を運転することにより、プリコート槽１０のプリコート溶液が配管ｅから濾過装置４の一次側室５に供給され、それによって各フィルタエレメント８の一次側に濾過助剤が付着して層形成する。そして濾過助剤を付着した後の溶液は二次側室６を経て配管ｋからプリコート槽１０に戻る。各フィルタエレメント８に所定量の濾過助剤が付着したらポンプＰ３を停止し、開閉弁Ｖ２，Ｖ４を閉じて濾過助剤の付着操作を終了する。
【００３５】
（排水の濾過工程）
濾過工程に入るには、開閉弁Ｖ１，Ｖ６を開け、ポンプＰ２を運転する。ポンプＰ２の運転により排水槽２の排水が配管ｃから濾過装置４の一次側室５に流入し、排水に懸濁している固形分はフィルタエレメント８の一次側における濾過助剤２７に捕捉されて分離し、清浄な処理水が二次側室６に流入する。そして二次側室６に流入した処理水は配管ｆ、ｇを経て処理水槽１１に排出する。
【００３６】
（固形分分離工程）
濾過工程を継続するとフィルタエレメント８の一次側には固形分が次第に堆積する。フィルタエレメント８の一次側に堆積した固形分が所定値に達して濾過効率が低下したとき、または所定の濾過運転時間に達したときに濾過工程から固形分分離工程に切り換える。
【００３７】
それには先ずポンプＰ２を停止し、開閉弁Ｖ１、Ｖ６を閉じて濾過工程を終了し、次いで固形分分離工程に移る。但し、固形分分離操作は逆洗水洗浄方式と加圧気体洗浄方式では次のように操作が異なる。なお、以下に説明する固形分分離操作はいずれも手動操作で行うことができるが、制御装置を使用して予め設定されたプログラムに従って自動的に遂行することもできる。
【００３８】
逆洗水洗浄方式を採用する場合は、前記濾過工程終了操作に続いてポンプＰ５を起動し、開閉弁Ｖ７、Ｖ８を開ける。それによって処理水槽１１の清浄な処理水が逆洗水として濾過装置４の二次側室６に供給され、各フィルタエレメント８の濾過助剤に堆積している固形分を剥離して一次側室５に分離する。分離された固形分を多く含む懸濁スラリーは配管ｍから懸濁水槽１７に排出される。フィルタエレメント８の一次側に堆積した固形分が十分に分離されたら、次にポンプＰ５を停止し、開閉弁Ｖ７、Ｖ８を閉じることにより固形分分離工程を終了する。
【００３９】
加圧空気洗浄方式を採用する場合は、前記濾過工程終了の操作に続いて加圧気体源１３を起動し、開閉弁Ｖ５、Ｖ８を開ける。それによって加圧気体源１３からの加圧気体を濾過装置４の二次側室６に供給し、その加圧気体がフィルタエレメント８を通して一次側室５に噴出する際に、フィルタエレメント８の濾過助剤２７に堆積した固形分を剥離して一次側室５に分離する。分離した固形分を多く含む懸濁スラリーは配管ｍから懸濁水槽１７に排出する。フィルタエレメント８の一次側に堆積した固形分が十分に分離されたら、次に加圧気体源１３を停止し、開閉弁Ｖ５、Ｖ８を閉じることにより固形分分離工程を終了する。なお、逆洗水洗浄方式の後に加圧空気洗浄方式を組み合わせて実施してもよい。
【００４０】
（懸濁スラリーの浄化操作）
懸濁水槽１７の懸濁水はポンプＰ６の運転により実線または点線の浄化手段１８に移送される。実線の浄化手段１８の場合は、そこで懸濁スラリーが脱水され、得られた団塊状の固形分が混合造粒装置１９に供給される。一方、実線の浄化手段１８から排出する清浄な浄化水は配管ｎを経て処理水排出手段４０としての処理水槽１１または配管ｓに排出される。
【００４１】
混合造粒装置１９では固形分が配管ｑから供給される造粒補助剤と混合して攪拌・造粒される。なお、造粒補助剤としては従来この分野で使用されている各種のものを使用できる。また混合造粒装置１９で得られた造粒物はコンベアＸから所定の場所に移送される。
【００４２】
点線で示す浄化手段１８、すなわち沈殿装置からなる浄化手段１８の場合は、そこに流入した懸濁水が沈殿槽で沈殿し、上澄水として得られた清浄な浄化水は配管ｎを経て処理水排出手段４０としての処理水槽１１または配管ｓに排出する。また固形分を主体とする沈殿物は配管ｐから排出されて前記混合造粒装置１９に供給される。なお沈殿装置を使用する場合には、前記のように粗粒子化剤供給手段４１から固形分の濃度に応じた粗粒子化剤を沈殿槽に供給し、懸濁液中の微細な固形分の沈殿を促進することができる。なお、粗粒子化剤供給手段４１からの粗粒子化剤を沈殿槽に添加する代わりに懸濁水槽１７にそれを添加することもできる。
【００４３】
【発明の効果】
以上のように本発明の排水の処理方法は、複数のフィルタエレメントを設けた濾過装置に固形分を懸濁した排水を供給し、処理した清浄な処理水を処理水排出手段に排出し、前記フィルタエレメントに固形分が堆積した際に該固形分を分離して懸濁水として排出し、その懸濁水を浄化手段により前記処理水と同等の清浄な浄化水に浄化し、得られた浄化水を前記処理水排出手段に排出することを特徴とする。
【００４４】
上記本発明の排水の処理方法は、従来のように懸濁水を脱水した残りの微細な固形分を多く含む濁度の高い排水を排水供給側に戻すのではなく、懸濁水を処理水と同等の清浄な浄化水に浄化し、それを処理水排出手段に排出するようにしたので、濾過装置の濾過性能の低下を大幅に抑制することができる。また従来のように、濾過性能の低下を回避するために濾過装置に供給する排水中に大量の濾過助剤や粗粒子化剤を添加する必要がないので、排水処理の運転コストを大幅に軽減することができる。
【００４５】
上記排水の処理方法において、前記浄化手段として前記処理水と同等の清浄な浄化水に浄化できる遠心分離装置、回転フィルタ、フィルタプレスの内のいずれか一つまたは、それらの二つ以上を組み合わせたもの、または沈殿装置を使用することができる。これらの装置は市販のものを入手又は容易に設置でき、さらに装置全体をコンパクト化でき、操作も容易である。
【００４６】
上記浄化手段として沈殿装置を用いる場合は、浄化すべき懸濁水に粗粒子化剤を添加することができる。このように浄化すべき懸濁水に粗粒子化剤を添加すると、懸濁水の固形分を粗粒子化して沈殿を促進し、清浄度の高い浄化水を効率よく得ることができる。
【００４７】
また本発明の排水の処理装置は、複数のフィルタエレメントを設けた濾過装置と、固形分を懸濁した排水を濾過装置に供給する排水供給手段と、濾過装置で処理して得られた清浄な処理水を排出する処理水排出手段と、各フィルタエレメントに堆積した固形分を分離して懸濁水として排出する固形分分離手段と、懸濁水を前記処理水と同等の清浄な浄化水に浄化する浄化手段と、浄化手段により得られた浄化水を前記処理水排出手段に排出する浄化水排出手段を備えていることを特徴とする。本装置を使用することにより上記処理方法を効率よく実施することができる。
【００４８】
上記排水の処理装置において、前記浄化手段は遠心分離装置、回転フィルタ、フィルタプレスの内のいずれか一つ、或いはそれらの二つ以上を組み合わせたもの、または沈殿装置により構成することができる。これらの装置は市販のものを入手又は容易に設置でき、さらに装置全体をコンパクト化でき、操作も容易である。
【００４９】
上記浄化手段を沈殿装置で構成する場合において、懸濁水に粗粒子化剤を添加する粗粒子化剤供給手段４１を設けることができる。このように粗粒子化剤供給手段４１を設けると、懸濁水の固形分を粗粒子化して沈殿を促進し、清浄度の高い浄化水を効率よく得ることができる。
【図面の簡単な説明】
【図１】本発明に係る排水の処理装置のプロセスフロー図。
【図２】コイル型のフィルタエレメントの１例を示す断面図。
【図３】図２のＡ部拡大図。
【符号の説明】
１  沈砂池
２  排水槽
３  排水供給手段
４  濾過装置
５  一次側室
６  二次側室
７  固定板
８  フィルタエレメント
９  濾過助剤ホッパ
１０  プリコート槽
１１  処理水槽
１２  固形分分離手段
１３  加圧気体源
１６  懸濁水排出手段
１７  懸濁水槽
１８  浄化手段
１９  混合造粒装置
２０  線輪
２１  取付金具
２２  ボルト
２３  ナット
２４  取付孔
２５  接続金具
２６  ナット
２７  濾過助剤
４０  処理水排出手段
４１  粗粒子化剤供給手段
４２  浄化水排出手段
Ｐ１〜Ｐ３，Ｐ５，Ｐ６  ポンプ
Ｖ１〜Ｖ８  開閉弁
ａ〜ｑ，ｓ  配管
Ｘ  コンベア
Ｂ  突起
Ｃ  間隙
【図１】
2005000820.tif 000003
【図２】
2005000820.tif 000004
【図３】
2005000820.tif 000005